(57)【要約】【課題】パッドの設置がしやすく、パッドの上下方向での位置の調整がしやすく、しかも、設置後のパッドの位置ずれがしにくいズボンを提供する。【解決手段】着用者の膝部に対応する部位に、パッド４０１を収納するパッド収納部４０３が設けられており、パッド収納部４０３の底部側には、横方向に延びた縫い目４０５が複数列設けられているズボン１である。【選択図】図１２
2012092474.tif 000002
【特許請求の範囲】
【請求項１】
着用者の膝部に対応する部位に、パッドを収納するパッド収納部が設けられており、前記パッド収納部の底部側には、横方向に延びた縫い目が複数列設けられていることを特徴とするズボン。
【請求項２】
請求項１に記載のズボンにおいて、
前記膝パッドは、厚さ方向から見たときに楕円形状もしくは円形状に形成されており、厚さ方向の一方の面が凸な球冠状に形成されており、厚さ方向の他方の面が凹な球冠状に形成されている本体部と、
前記本体部の外周に設けられた「Ｖ」字状もしくは「Ｕ」字状の第１の切り欠き部と、
前記本体部の外周であって、前記本体部の中心に対して第１の切り欠き部と対称に設けられた「Ｖ」字状もしくは「Ｕ」字状の第２の切り欠き部と、
を備えており、前記一対の各切り欠き部のそれぞれが、前記ズボンの着用者の膝の左側と右側とに位置するようにして、前記パッドが前記パッド収納部に収納される構成であることを特徴とするズボン。
【請求項３】
請求項１または請求項２に記載のズボンにおいて、
前記パッド収納部の開口部を覆う天蓋を備えており、
前記天蓋は、この周辺部のうち上部と側部とが、前記ズボンの本体に接合されて、前記パッド収納部の開口部を覆うように構成されていることを特徴とするズボン。
【請求項４】
請求項１〜請求項３のいずれか１項に記載のズボンにおいて、
着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されていることを特徴とするズボン。
【請求項５】
着用者の膝部に対応する部位に、パッドを収納するパッド収納部が設けられており、前記パッド収納部の底部側には、横方向に延びた縫い目が複数列設けられていることを特徴とするツナギ。
【請求項６】
請求項５に記載のツナギにおいて、
前記膝パッドは、厚さ方向から見たときに楕円形状もしくは円形状に形成されており、厚さ方向の一方の面が凸な球冠状に形成されており、厚さ方向の他方の面が凹な球冠状に形成されている本体部と、
前記本体部の外周に設けられた「Ｖ」字状もしくは「Ｕ」字状の第１の切り欠き部と、
前記本体部の外周であって、前記本体部の中心に対して第１の切り欠き部と対称に設けられた「Ｖ」字状もしくは「Ｕ」字状の第２の切り欠き部と、
を備えており、前記一対の各切り欠き部のそれぞれが、前記ツナギの着用者の膝の左側と右側とに位置するようにして、前記パッドが前記パッド収納部に収納される構成であることを特徴とするツナギ。
【請求項７】
請求項５または請求項６に記載のツナギにおいて、
前記パッド収納部の開口部を覆う天蓋を備えており、
前記天蓋は、この周辺部のうち上部と側部とが、前記ズボンの本体に接合されて、前記パッド収納部の開口部を覆うように構成されていることを特徴とするツナギ。
【請求項８】
請求項５〜請求項７のいずれか1項に記載のツナギにおいて、
着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されていることを特徴とするツナギ。
【請求項９】
厚さ方向から見たときに楕円形状もしくは円形状に形成され、厚さ方向の一方の面が凸な球冠状に形成されており、厚さ方向の他方の面が凹な球冠状に形成されている本体部と、
前記本体部の外周に設けられた「Ｖ」字状もしくは「Ｕ」字状の第１の切り欠き部と、
前記本体部の外周であって、前記本体部の中心に対して第１の切り欠き部と対称に設けられた「Ｖ」字状もしくは「Ｕ」字状の第２の切り欠き部と、
を有することを特徴とするパッド。
【請求項１０】
請求項９に記載のパッドにおいて、
前記一方の切り欠きの底部と、前記他方の切り欠きの底部との間の寸法が、人の膝のところにおける脚の幅とほぼ等しいか僅かに小さくなっていることを特徴とするパッド。
【発明の詳細な説明】
【技術分野】
【０００１】
本発明は、ズボン、ツナギおよびパッドに係り、特に、着用者の膝を保護するためのものに関する。
【背景技術】
【０００２】
従来、太陽電池パネルの設置等の屋根上での作業をする場合、作業者は、トビ服あるいは作業ズボンを着用している。屋根上での作業では、作業者が立膝の姿勢や両膝を屋根につくじゃがんだ姿勢をとることが頻繁にある。夏季の作業においては、屋根の表面温度は、９０℃程度になる。
【０００３】
上記作業において、膝パッドを用い、作業者の膝を圧迫力や熱から保護する場合がある（たとえば、特許文献１、特許文献２参照）。
【先行技術文献】
【特許文献】
【０００４】
【特許文献１】特開２００９−９１７０５号公報
【特許文献２】特開２０１０−２２９５９４号公報
【発明の概要】
【発明が解決しようとする課題】
【０００５】
しかし、上記従来の膝パッドは設置が面倒であり、上下方向での膝パッドの設置位置の調整がしにくく、一旦設置した後作業を重ねることで膝パッドの位置がずれてしまうことがあるという問題がある。
【０００６】
また、上記特許文献１の膝パッドは、断衝部材の両側面に切り込みが設けられているため、着用者の膝の形状に応じて三次元的に変形できるものであるが、この変形時に前記切り込みの上端と下端とが互いに重なり合って肉厚部を形成してしまう。このため、膝パッドの表面側（膝と接触しない凸面側）から前記肉厚部が突出するので外観を損ねるとともに、膝パッドの裏面側（膝と接触する凹面側）から前記肉厚部が突出するので着用者の装着感、フィット性を損ねるという問題がある。
【０００７】
さらに、上記特許文献２の膝パッドは、膝パッドの略中央部に複数の切り込みが形成されているため、着用者の膝の形状に応じて三次元的に変形できるものであるが、この変形時に切り込み部の周縁の角（エッジ）が、着用者の膝に接触するので着用者の装着感を損ねるという問題がある。
【０００８】
本発明は、上記問題点に鑑みてなされたものであり、パッドの設置がしやすく、パッドの上下方向での位置の調整がしやすく、しかも、設置後のパッドの位置ずれがしにくく、着用者に対する装着感やフィット性を向上させることができるズボンやツナギを提供することを目的とする。
【０００９】
また、本発明は、ズボンやツナギに設置された場合であっても、着用者の膝が曲げやすいパッドを提供することを目的とする。
【課題を解決するための手段】
【００１０】
請求項１に記載の発明は、着用者の膝部に対応する部位に、パッドを収納するパッド収納部が設けられており、前記パッド収納部の底部側には、横方向に延びた縫い目が複数列設けられているズボンである。
【００１１】
請求項２に記載の発明は、請求項１に記載のズボンにおいて、前記膝パッドは、厚さ方向から見たときに楕円形状もしくは円形状に形成されており、厚さ方向の一方の面が凸な球冠状に形成されており、厚さ方向の他方の面が凹な球冠状に形成されている本体部と、前記本体部の外周に設けられた「Ｖ」字状もしくは「Ｕ」字状の第１の切り欠き部と、前記本体部の外周であって、前記本体部の中心に対して第１の切り欠き部と対称に設けられた「Ｖ」字状もしくは「Ｕ」字状の第２の切り欠き部とを備えており、前記一対の各切り欠き部のそれぞれが、前記ズボンの着用者の膝の左側と右側とに位置するようにして、前記パッドが前記パッド収納部に収納される構成であるズボンである。
【００１２】
請求項３に記載の発明は、請求項１または請求項２に記載のズボンにおいて、前記パッド収納部の開口部を覆う天蓋を備えており、前記天蓋は、この周辺部のうち上部と側部とが、前記ズボンの本体に接合されて、前記パッド収納部の開口部を覆うように構成されているズボンである。
【００１３】
請求項４に記載の発明は、請求項１〜請求項３のいずれか１項に記載のズボンにおいて、着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されているズボンである。
【００１４】
請求項５に記載の発明は、着用者の膝部に対応する部位に、パッドを収納するパッド収納部が設けられており、前記パッド収納部の底部側には、横方向に延びた縫い目が複数列設けられているツナギである。
【００１５】
請求項６に記載の発明は、請求項５に記載のツナギにおいて、前記膝パッドは、厚さ方向から見たときに楕円形状もしくは円形状に形成されており、厚さ方向の一方の面が凸な球冠状に形成されており、厚さ方向の他方の面が凹な球冠状に形成されている本体部と、前記本体部の外周に設けられた「Ｖ」字状もしくは「Ｕ」字状の第１の切り欠き部と、前記本体部の外周であって、前記本体部の中心に対して第１の切り欠き部と対称に設けられた「Ｖ」字状もしくは「Ｕ」字状の第２の切り欠き部とを備えており、前記一対の各切り欠き部のそれぞれが、前記ツナギの着用者の膝の左側と右側とに位置するようにして、前記パッドが前記パッド収納部に収納される構成であるツナギである。
【００１６】
請求項７に記載の発明は、請求項５または請求項６に記載のツナギにおいて、前記パッド収納部の開口部を覆う天蓋を備えており、前記天蓋は、この周辺部のうち上部と側部とが、前記ズボンの本体に接合されて、前記パッド収納部の開口部を覆うように構成されているツナギである。
【００１７】
請求項８に記載の発明は、請求項５〜請求項７のいずれか1項に記載のツナギにおいて、着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されているツナギである。
【００１８】
請求項９に記載の発明は、厚さ方向から見たときに楕円形状もしくは円形状に形成され、厚さ方向の一方の面が凸な球冠状に形成されており、厚さ方向の他方の面が凹な球冠状に形成されている本体部と、前記本体部の外周に設けられた「Ｖ」字状もしくは「Ｕ」字状の第１の切り欠き部と、前記本体部の外周であって、前記本体部の中心に対して第１の切り欠き部と対称に設けられた「Ｖ」字状もしくは「Ｕ」字状の第２の切り欠き部とを有するパッドである。
【００１９】
請求項１０に記載の発明は、請求項９に記載のパッドにおいて、前記一方の切り欠きの底部と、前記他方の切り欠きの底部との間の寸法が、人の膝のところにおける脚の幅とほぼ等しいか僅かに小さくなっているパッドである。
【発明の効果】
【００２０】
請求項１〜請求項８に記載の発明によれば、パッドの設置がしやすく、パッドの上下方向での位置の調整がしやすく、しかも、設置後のパッドの位置ずれがしにくく、着用者に対する装着感やフィット性を向上させることができるという効果を奏する。
【００２１】
また、請求項９、請求項１０に記載の発明によれば、ズボンやツナギに設置された場合であっても、着用者の膝が曲げやすいという効果を奏する。
【図面の簡単な説明】
【００２２】
【図１】本発明の実施形態に係るズボンの概略構成を示す正面図である。
【図２】ズボンの側面図であって図１におけるＩＩ矢視図である。
【図３】ズボンの背面図であって図２におけるＩＩＩ矢視図である。
【図４】ズボンの展開図であって、ズボンを構成している伸縮素材等の平面図である。
【図５】ズボンをはいた着用者が立膝の姿勢をとった状態を示す図である。
【図６】カーゴポケットを設けたズボンの正面図である。
【図７】カーゴポケットを設けたズボンの側面図であって図６におけるＶＩＩ矢視図である。
【図８】着用者の起立姿勢と立膝の姿勢とを示す図である。
【図９】パッドの正面図である。
【図１０】パッドの背面図である。
【図１１】パッドの断面図であって、（ａ）は図９におけるＸＩＡ−ＸＩＡ断面を示し、（ｂ）は図９におけるＸＩＢ−ＸＩＢ断面を示し、（ｃ）は図９におけるＸＩＣ−ＸＩＣ断面を示している。
【図１２】パッド収納部の正面図である。
【図１３】図１２におけるＸＩＩＩ−ＸＩＩＩ断面を示す図である。
【図１４】本発明の実施形態に係るツナギの概略構成を示す図であり、（ａ）は、ツナギを前方から見た図であり、（ｂ）は、ツナギを後方から見た図である。
【図１５】ツナギの展開図であって、ツナギを構成している伸縮素材等の平面図である。
【図１６】変形例に係るツナギの概略構成を示す図であり、（ａ）は、ツナギを前方から見た図であり、（ｂ）は、ツナギを後方から見た図である。
【発明を実施するための形態】
【００２３】
ズボン１は、たとえば作業に使用される長ズボン（作業ズボン）であって、はいた場合に着用者の体には密着しない構成、すなわち、着用者の皮膚との間に若干の空間が存在する形態になっている。なお、ズボン１の着用者が直立姿勢になっているときには、ズボン１は、図１〜図３、図６、図７等で示すような形態になっている。
【００２４】
ズボン１は、所定の部分が伸縮素材（パンツ側伸縮素材）３で構成されている。伸縮素材３は、たとえばニット（編み物）で構成されており、ツーウェイストレッチタイプになっている。すなわち、伸縮素材３は、この面内方向（伸縮素材３の厚さ方向に直交する任意の方向）で伸縮性を備えている。伸縮素材３以外のズボン１の部位は、伸縮性をほとんど有さない織物（布帛）５で構成されている。
【００２５】
なお、伸縮素材３として、ニットに代えて、伸縮性のある布帛を採用してもよい。この伸縮性のある布帛は、たとえば、弾性を備えた糸を織って構成されているものとする。
【００２６】
伸縮素材３は、腰部部位（下側腰部部位）７、臀部上方部位９、股関節外側部位１１、大腿部前側中間部位１３をこれらの順に通って、膝近傍内側部位１５までいたる上下方向に延びたほぼ１巻きの螺旋状の部分に設けられている。また、伸縮素材３は所定の幅になっている。
【００２７】
ここで、腰部部位７は、着用者の腰部（腰部のうちの下側の部位）の真後に対応する部位（着用者の股上部の真後であってウエストバンド部１７の直下の部位；下側腰部部位）である。臀部上方部位９は、着用者の左側もしくは右側の臀部の上部に対応する部位である。股関節外側部位１１は、着用者の股関節の外側に対応する部位（着用者の左の股関節よりもさらに左方に位置する着用者の皮膚の部分に対応する部位、もしくは、着用者の右の股関節よりもさらに右方に位置する着用者の皮膚の部分に対応する部位）である。
【００２８】
大腿部前側中間部位１３は、着用者の大腿部の上下方向における中間部であって大腿部の前側に対応する部位である。膝近傍内側部位は、着用者の膝の近くであって大腿部の内側（着用者の左の大腿部にあっては右側、着用者の右の大腿部にあっては左側）に対応する部位である。なお、腰部部位７等は、着用者がズボンを履いたときに着用者の腰部等の皮膚部分と対向するズボンの部位である。
【００２９】
ズボン１は、左右対称に形成されており、螺旋状の伸縮素材３は、左右対称に設けられている。したがって、ズボンの左側では、左側の腰部部位７Ｌから、左側の臀部上方部位９Ｌ、左側の股関節外側部位１１Ｌ、左側の大腿部前側中間部位１３Ｌを通って、左側の膝近傍内側部位１５Ｌまでいたる部分が、所定の幅の螺旋状（上から下にズボン１を見たときに時計まわりの螺旋状）の伸縮素材３Ｌで構成されている。
【００３０】
ズボンの右側では、右側の腰部部位７Ｒから、右側の臀部上方部位９Ｒ、右側の股関節外側部位１１Ｒ、右側の大腿部前側中間部位１３Ｒを通って、右側の膝近傍内側部位１５Ｒまでいたる部分が、所定の幅の螺旋状（上から下にズボン１を見たときに反時計まわりの螺旋状）の伸縮素材３Ｒで構成されている。
【００３１】
なお、着用者の腰部のところで、左側の伸縮素材３Ｌと右側の伸縮素材３Ｒとがお互いにつながっている（図３参照）。
【００３２】
以下、ズボン１の右側を例に掲げてさらに詳しく説明する。
【００３３】
伸縮素材３Ｒの膝近傍内側部位１５Ｒは、ズボン１のインシーム１９の部位よりも僅かに後方まで達している（図３参照）。
【００３４】
また、伸縮素材３Ｒの幅は、上から下に向かうにしたがって次第に広くなっている。ここで、伸縮素材３Ｒの幅方向は、伸縮素材３Ｒの螺旋状の延伸方向（長手方向）と直交する方向であるが、伸縮素材３Ｒの幅方向を、ズボン１の上下方向としてもよい。
【００３５】
図４では、裁断され縫い合わされる前の伸縮素材３Ｒ等の形状を示している。図４に示す伸縮素材３Ｒ等は、平板状になっている。また、図４の紙面に直交する方向が伸縮素材３Ｒ等の厚さ方向になっている。
【００３６】
ズボン１は、伸縮素材３Ｒと、右前開き地２１Ｒ（左前開き地であるなら２１Ｌ）と、右後脇接ぎ地２３Ｒ（左後脇接ぎ地であるなら２３Ｌ）と、右前パンツ地２５Ｒ（左前パンツ地であるなら２５Ｌ）と、右後パンツ地２７Ｒ（左後パンツ地であるなら２７Ｌ）とを、たとえば縫製することで適宜接合して形成されている。
【００３７】
ここで、右前パンツ地２５Ｒの一辺部２９Ｒと右後パンツ地２７Ｒの一辺部３１Ｒとがお互いに接合されて、ズボン１のサイドシーム３３が形成されるようになっている。
【００３８】
また、右前パンツ地２５Ｒの他の一辺部（一辺部２９Ｒと対向している一辺部）３５Ｒと右後パンツ地２７Ｒの他の一辺部（一辺部３１Ｒと対向している一辺部）３７Ｒの一部とがお互いに接合されて、インシーム１９近傍の接合部（縫い合わせ部）３９（図３参照）が形成されている。なお、右前パンツ地２５Ｒで示す二点鎖線Ｌ１は、ズボン１におけるインシーム１９になる箇所である。
【００３９】
また、ズボン１では、伸縮素材３の別の一辺部（長手方向の一方の端部）５２Ｒと、右後パンツ地２７Ｒの他の一辺部３７Ｒの他の一部とがお互いに接合されて、インシーム１９近傍の接合部３９が形成されるようになっている。
【００４０】
これにより、伸縮素材３Ｒの膝近傍内側部位１５Ｒは、ズボン１のインシーム１９の部位よりも僅かに後方まで達するのである（図３参照）。
【００４１】
また、ズボン１では、右前パンツ地２５Ｒの別の一辺部４１Ｒおよび右後パンツ地２７Ｒの別の一辺部４３Ｒと、伸縮素材３の一辺部（幅方向の一方の辺部）４５Ｒとが、お互いに接合され、右前開き地２１Ｒの一辺部４７Ｒおよび右後脇接ぎ地２３Ｒの一辺部４９Ｒと、伸縮素材３の他の一辺部（幅方向の他方の辺部）５１Ｒとが、お互いに接合されるようになっている。
【００４２】
ズボン１では、上記接合以外の接合もなされるが、他の接合部分については説明を省略する。
【００４３】
上述したように、伸縮素材３、右前開き地２１Ｒ、右後脇接ぎ地２３Ｒ、右前パンツ地２５Ｒ、右後パンツ地２７Ｒが接合されて形成されたズボン１では、伸縮素材３には、圧縮力がかかっていないことはもちろん、引っ張り力もかかっていない。すなわち、なんら外力が加わっていない。
【００４４】
また、ズボン１では、前開き地２１Ｒ，２１Ｌと後脇接ぎ地２３Ｒ，２３Ｌの上部に環状のウエストバンド部１７が縫製等によって接合されており、また、サイドポケット５５と後部ポケット５７とが設けられている。
【００４５】
ズボン１によれば、着用者がはいたときに、立膝姿勢、蹲踞の姿勢、胡坐をかいた姿勢等、膝を開いた姿勢をとりやすいと共に、伸縮素材３が傷付くことを極力防止することができる。
【００４６】
詳しく説明すると、人体の各関節のうちで、ズボン１に関係する主な関節は、股関節と膝関節である。ズボン１は、たとえば、着用者が股関節と膝関節とを曲げていない状態（起立状態）に合わせて、形状が決められている。
【００４７】
ここで、起立状態に対して着用者の脚が最も変形し、着用者がはいているズボンが着用者の脚から最も変形力を受けるのは、たとえば図５で示すように、着用者が立膝の姿勢になったときである。すなわち、股間が開くように股関節を曲げ、膝関節を曲げ、さらに一方の膝（図５では右の膝）を地面や床につけたときである。このように、立膝の姿勢になると、ズボン１には、図５に矢印で示すような引っ張り力が作用する。このような引っ張り力が作用しても、伸縮素材３が適宜延びるので、ズボン１をはいている着用者は立膝の姿勢をとりやすいのである。
【００４８】
図５で示すように着用者が立膝の姿勢をとった場合、伸縮素材３は、矢印の箇所（膝近傍内側部位）で最も大きく伸縮素材３の幅方向に延びるが、他の箇所でも延びるようになっている。そして、伸縮素材３を１巻きの螺旋状に形成することにより、伸縮素材３が、脚の軸を中心にしてほぼ３６０°設けられていることになり、図５で示すように着用者が立膝の姿勢になった場合、伸縮素材３が適宜弾性変形してズボン１が変形し、着用者が立膝の姿勢をとりやすくなる。
【００４９】
図５で示すように着用者が立膝の姿勢（直立姿勢）をとった場合について、図８を用いてさらに詳しく説明する。図８（ａ）は、着用者が起立姿勢をとっている状態を示す図であり、図８（ｂ）は、着用者が立膝の姿勢をとっている状態を示す図であり、図５に対応した図である。
【００５０】
図８（ａ）に破線で示す曲線Ｌ１１は、着用者の右膝の内側部位から、着用者の股間を通り、着用者の左膝の内側部位にいたっている（着用者の内股部を通っている）。また、図８（ｂ）に破線で示す曲線Ｌ１２は、曲線Ｌ１１と同じところ（図８（ａ）で示した着用者と同一の着用者の皮膚の部位）を通っている曲線である。
【００５１】
図８（ａ）で示す状態では、曲線Ｌ１１の長さがたとえば７０．５ｃｍであるのに対し、図８（ｂ）で示す状態では、曲線Ｌ１２の長さがたとえば８３．５ｃｍになり、着用者の姿勢によって、着用者の内股部の皮膚の長さが１８％程度増加するのである。
【００５２】
このように、着用者の内股部の皮膚の長さが１８％程度増加しても、伸縮素材３が設けられていることで、着用者は立膝の姿勢をとりやすい。
【００５３】
これに対して、図１２で示すような、前身頃２０１と後身頃２０３とを備えて構成されたズボンであると、伸縮素材が設けられていないので、上述した１８％の増加に十分対応することができず、着用者が立膝の姿勢をとりにくい。
【００５４】
なお、ズボン１によれば、着用者が立膝の姿勢になったときだけでなく、着用者が蹲踞の姿勢、胡坐をかいた姿勢等になった場合でも、立膝の姿勢の場合と同様に、着用者が蹲踞の姿勢や胡坐をかいた姿勢等の姿勢をとりやすくなる。
【００５５】
また、伸縮素材３は、ズボン１の他の部位（織物で構成された部位）に比べて、擦れや引っ掻きに弱く、擦れや引っ掻きによって、ニットの糸がもつれる等して傷付きやすい。しかし、ズボン１では、伸縮素材３が上述した箇所に設けられているので、着用者がズボン１を履いて作業をして床や地面に座る等しても、伸縮素材３が、床や地面や壁等に当接しにくくなっている。したがって、伸縮素材３が擦れたりすること等がほとんど無くなり、伸縮素材３が傷付くことを極力防止することができる。
【００５６】
また、伸縮素材３が、上述したように設けられていることにより、伸縮素材３とサイドポケット５５とがお互いに干渉するとがなくなり、サイドポケット５５の設置が容易になっている。
【００５７】
さらに、ズボン１では、膝よりも下に伸縮素材３で構成された部位が存在しないので、伸縮素材３の使用量が削減されているとともに、壁等に接触しやすい膝下の部位がもつれる等して傷付くことを抑制することができる。
【００５８】
また、ズボン１によれば、伸縮素材３の膝近傍内側部位１５が、ズボン１のインシーム１９の部位よりも僅かに後方まで達しているので、着用者がはいたときに立膝の姿勢等を一層とりやすくなっている。
【００５９】
すなわち、前述したように、着用者が立膝の姿勢等をとったときは、ズボン１のインシーム１９のところで伸縮素材３が大きく延びることが望ましい。しかし、膝近傍内側部位１５がズボン１のインシーム１９の部位で止まっていると、織物に接合されている伸縮素材３が織物に邪魔されて十分に延びることができない。しかし、ズボン１では、伸縮素材３の膝近傍内側部位１５がズボン１のインシーム１９の部位よりも僅かに後方まで達しているので、織物の影響が小さくなり、ズボン１のインシーム１９の部位で伸縮素材３が十分に延び、着用者が立膝の姿勢等を一層とりやすくなる。
【００６０】
また、ズボン１によれば、伸縮素材３の幅が上から下に向かうにしたがって次第に広くなっているので、ズボン１をはいた着用者が立膝の姿勢等を一層とりやすくなる。
【００６１】
すなわち、着用者が図５で示すように立膝の姿勢をとった場合、伸縮素材３は膝近傍内側部位１５のインシーム１９のところで最も大きく幅方向に延び、上側に向かうほど延び量が小さくなる。したがって、伸縮素材３の幅が上から下に向かうにしたがって次第に広くなっていることで、ズボン１をはいた着用者が立膝の姿勢等を一層とりやすくなる。
【００６２】
また、伸縮素材３は、上側（腰部側）で幅が小さいので、ズボン１の臀部に後部ポケット５７を設けても、伸縮素材３と後部ポケット５７とがお互いに干渉せず、後部ポケット５７の設置が容易になる。
【００６３】
さらに、ズボン１上方では（腰部の近傍）では、伸縮素材３が水平に近い方向で斜めに延伸しているので、後部ポケット５７との干渉を一層確実に避けることができる。
【００６４】
なお、ズボン１において、図６、図７で示すように、伸縮素材３の下方にカーゴポケット５９を設けてもよい。また、図６では、カーゴポケット５９がズボンから離れて描かれているが、実際には、図７で示すように、カーゴポケット５９はズボンにくっついている。
【００６５】
ところで、ズボン１には、膝パッド（パッド）４０１を設置することができるようになっている。すなわち、ズボン１には、ズボン１の着用者の膝部に対応する部位（ズボン本体４０７の膝対応部位）に、パッド４０１を収納して支持するパッド収納部（パッド収納支持部）４０３が設けられており、パッド収納部４０３の底部側には、横方向に延びている縫い目（横方向延伸縫い目）４０５が設けられている（図１、図１２参照）。パッド収納部４０３は、たとえば、パッド支持布４０９をズボン本体４０７に縫合等によって接合することで形成されている。各縫い目４０５は、ズボン１の上下方向で所定の間隔をあけて複数列設けられている。
【００６６】
パッド支持布４０９は、たとえば、布帛で構成されており、パッド支持布４０９の厚さ方向がズボン本体４０７を構成する布の厚さ方向と一致するようにして、ズボン本体４０７の膝部に対応する部位とこの周辺との前側（ズボン本体４０７の外側）で、ズボン本体４０７に接合されている。
【００６７】
矩形状のパッド支持布４０９の周辺部のうちで下の辺部（底の辺部）と一対の脇の辺部（側方の辺部）とは、たとえば縫合（図１２に示す縫い目４０５、４１１）によってズボン本体４０７に接合されている。パッド支持布４０９の周辺部のうちで上の辺部は、ズボン本体４０７に接合されておらず、ズボン本体４０７から離れることができるようになっている。これにより、パッド支持布４０９の上端（上の辺部）が開口部４１３となっているパッド収納部４０３が形成されている。
【００６８】
横方向延伸縫い目４０５のうちで最も下側に位置している縫い目（最下端の縫い目）４０５Ａは、パッド支持布４０９の周辺部のうちの下の辺部をズボン本体４０７に縫合している縫い目である。各横方向延伸縫い目４０５のうちで最下端の縫い目４０５Ａ以外の縫い目（上側の縫い目）４０５Ｂは、１本または２本以上の複数本設けられている。
【００６９】
上側の縫い目４０５Ｂが１本のみ設けられている形態では、この上側の縫い目４０５Ｂは、最下端の縫い目４０５Ａの上方で、最下端の縫い目４０５Ａから所定の間隔をあけて、最下端の縫い目４０５Ａと平行に延びている。上側の縫い目４０５Ｂが設けられていることで、パッド収納部４０３の深さが、上側の縫い目４０５Ｂが設けられていない場合よりも浅くなっており、パッド収納部４０３に収納されたパッド４０１が、上側の縫い目４０５Ｂで支持されて、最下端の縫い目４０５Ａしか設けられていない場合よりも上方に位置する。
【００７０】
上側の縫い目４０５Ｂが２本以上の複数本（たとえば図１２で示すように２本）設けられている形態では、各上側の縫い目４０５Ｂは、最下端の縫い目４０５Ａの上方で、最下端の縫い目４０５Ａから所定の間隔をあけているとともに、上下方向でお互いが所定の間隔をあけて、最下端の縫い目４０５Ａと平行に延びている。
【００７１】
そして、各横方向延伸縫い目４０５を一切除去しないか、もしくは、各横方向延伸縫い目４０５Ｂ（最下端の縫い目４０５Ａを除く）で最も上方に位置している横方向延伸縫い目４０５Ｂを１本もしくは上側から順に複数本適宜除去することで、パッド収納部４０３に収納されたパッド４０１の設置高さを調整することができるように構成されている。
【００７２】
なお、各横方向延伸縫い目４０５Ｂ（最下端の縫い目４０５Ａを除く）は、この縫い目だけを簡単に除去することができるようになっている。
【００７３】
また、ズボン１には、パッド収納部４０３の開口部４１３を覆う天蓋４１５が設けられている。
【００７４】
天蓋４１５は、たとえば布帛で矩形状に構成されており、この厚さ方向がズボン本体４０７を構成する布の厚さ方向と一致するようにして、パッド収納部４０３の上方であってズボン本体４０７の外側で、ズボン本体４０７に接合されている。
【００７５】
天蓋４１５は、この周辺部のうち上部（上の辺部）４１７と一対の側部（脇の辺部）４１９とが、ズボン本体４０７にたとえば縫合によって接合されており、パッド収納部４０３の開口部４１３を覆うように構成されている。
【００７６】
なお、天蓋４１５の周辺部のうち上部４１７と側部４１９とがズボン本体４０７に接合されており、天蓋４１５の周辺部のうちで下の辺部は、ズボン本体４０７に接合されておらず、ズボン本体４０７から離れることができるようになっている。そして、天蓋４１５の下端が開口部４２１となっている。
【００７７】
天蓋４１５の横方向の寸法は、パッド収納部４０３の開口部４１３の長さよりも大きくなっている。天蓋４１５がパッド収納部４０３の開口部４１３を覆っている状態（パッド収納部閉状態）を、天蓋４１５やズボン本体４０７やパッド支持布４０９の厚さ方向から見ると（前から後に向かって見ると）、図１２で示すように天蓋４１５の開口部４２１が、パッド収納部４０３の開口部４１３の下側でパッド収納部４０３の開口部４１３から所定の距離だけ離れている。
【００７８】
また、パッド収納部閉状態をズボン本体４０７等の厚さ方向から見ると、天蓋４１５の上の辺部４１７が、パッド収納部４０３の開口部４１３の上側でパッド収納部４０３の開口部４１３から所定の距離だけ離れており、横方向では、天蓋４１５の一対の脇の辺部４１９の内側にパッド収納部４０３の開口部４１３が位置している。これらにより、天蓋４１５がパッド収納部４０３の開口部４１３を覆っており、パッド収納部４０３の開口部４１３が天蓋４１５によって隠されておりズボン１の外からは見えないようになっている。そして、パッド収納部４０３に収納されているパッド４０１が、パッド収納部４０３の外に出ないようになっている。
【００７９】
なお、天蓋４１５の開口部４２１（特に開口部４２１の中央部）をめくり上げてパッド収納部４０３の開口部４１３を露出させ、パッド収納部４０３の開口部４１３（特に開口部４１３の中央部）を下方に引き下げ前方に引っ張ることで、パッド収納部４０３へのパッド４０１の出し入れ可能になる（図１３（ｂ）参照）。
【００８０】
パッド４０１は、たとえば、通気性やクッション性（弾力性）や洗濯性（洗濯したときに汚れが落ちやすい）や洗濯耐久性（繰り返しの洗濯でも傷みにくい）や断熱性を備えたエステル高機能素材である「エルク」（登録商標）で構成されているが、クッション性や断熱性や１００℃程度までの耐熱性を備えた樹脂材料や合成ゴム等の材料で、パッドを構成してもよい。
【００８１】
また、パッド４０１は、左右対称に形成されており、本体部（パッドの本体部）４２３と第１の切り欠き部（スリット）４２５と第２の切り欠き部（スリット）４２７とを備えて構成されている。本体部４２３は、厚さ方向から見たときに、図９や図１０で示すように、楕円形状（円形状であってもよい）に形成されており、図１１で示すように、厚さ方向の一方の面４２９が凸な球冠状に形成されており、厚さ方向の他方の面４３１が凹な球冠状に形成されている。
【００８２】
これにより、本体部４２３は、深さの浅い椀状に形成されており、楕円の周辺部では薄く楕円の中心部に向かうにしたがって厚さが次第に厚くなっている。換言すれば、厚さ方向の一方の凸な面の曲率半径が、厚さ方向の他方の凹な面の曲率半径よりも大きくなっている。
【００８３】
第１の切り欠き部４２５は、たとえば、「Ｖ」字状（「Ｕ」字状でもよい。）に形成されており、本体部４２３の外周に設けられている。第２の切り欠き部４２７も、たとえば、「Ｖ」字状（「Ｕ」字状でもよい。）に形成されており、本体部４２３の外周であって、本体部４２３の中心に対して第１の切り欠き部４２５と点対称に設けられている。
【００８４】
パッド本体部４２３は完全な楕円形もしくは円形に形成されているわけではなく、膝とこの周辺部の形態に応じて、楕円形もしくは円形に近い形に形成されている。
【００８５】
また、パッド本体部４２３は、横方向（パッド４０１が設置されたズボン１の着用者が直立状態であるときにおける横方向）の寸法（径）が上下方向（パッド４０１が設置されたズボン１の着用者が直立状態であるときにおける上下方向）の寸法（径）よりも大きくなっている。また、パッド４０１が設置されたズボン１の着用者が直立状態であるときには、パッド本体部４２３の厚さ方向が前後方向になり、凹状の面４３１がズボン１の着用者の膝側を向くようになっている。
【００８６】
各切り欠き部４２５，４２７が設けられていないとすると、パッド本体部４２３の横方向の寸法は、ズボン１の着用者の膝のところにおける脚の幅よりも大きくなっている。たとえば、パッド本体部４２３の横方向の寸法は、ズボン１の着用者の膝のところにおける脚の幅の１．５倍程度になっている。なお、パッド本体部４２３の横方向の寸法を、ズボン１の着用者の膝部の幅の１．４倍〜１．６倍としてもよいし、１．２倍〜１．７倍としてもよいし、１．１倍〜１．８倍としてもよい。
【００８７】
また、各切り欠き部４２５，４２７が設けられていないとすると、パッド本体部４２３の上下方向の寸法と横方向の寸法との比は、１：１．３程度になっている。なおこの比を、１：１．２〜１：１．４の範囲に広げてもよいし、さらに、１：１〜１：１．５の範囲に広げてもよい。
【００８８】
各切り欠き部４２５，４２７は、パッド本体部４２３の横方向の一端部と他端部とに設けられている。なお、パッド本体部４２３には、一対の切り欠き部４２５，４２７のみが設けられている構成であって、上記一対の切り欠き部４２５，４２７以外に切り欠き部は一切設けられていない。
【００８９】
各切り欠き部４２５，４２７は、パッド本体部４２３の厚さ方向（ズボン１の着用者が直立状態であるときにおける前後方向）を貫通しており、切り欠き部４２５，４２７の幅（ズボン１の着用者が直立状態であるときにおける上下方向の寸法）は、パッド本体部４２３の横方向の端部で大きく、中心に向かうにしたがって次第に小さくなっている。
【００９０】
「Ｖ」字状の切り欠き部４２５，４２７の底における切り欠き部の角度は６０°〜７０°程度になっているが、５０°〜８０°の範囲内、もしくは、４０°〜９０°の範囲内で適宜決めてもよい。
【００９１】
またパッド４０１では、一方の切り欠き４２５の底部と、他方の切り欠き４２７の底部との間の寸法（一対の切り欠き部４２５，４２７が設けられているところにおけるパッド４０１の横方向の寸法）が、人（ズボン１の着用者）の膝のところにおける脚の幅（膝関節の幅寸法）とほぼ等しいか僅かに小さくなっている。
【００９２】
パッド４０１がパッド収納部４０３に収納されたズボン１を着用者がはいたとき、一対の各切り欠き部４２５，４２７のそれぞれが、ズボン１の着用者の膝の左側と右側とに位置するようにしている。また、ズボン１の着用者が直立姿勢であるとき、各切り欠き部４２５，４２７の中心の高さ位置と着用者の膝の中心（膝関節の曲げの中心軸）の高さ位置とがお互いにほぼ一致している。
【００９３】
ここで、ズボン１におけるパッド４０１の高さ調整について説明する。
【００９４】
まず、縫い目４０５を一切除去していない状態で、ズボン１のパッド収納部４０３内にパッド４０１を設置する。パッド４０１が設置された状態は、図１２や図１３で示すように、パッド４０１の各切り欠き部４２５，４２７は、パッド４０１の横方向の両端部に存在しており、パッド４０１の凹部４３１がズボン１の着用者の膝に対向しパッド４０１の凸部４２９が前側を向いている。
【００９５】
縫い目４０５を一切除去されていない状態でパッド４０１が設置されたズボン１を履いた着用者は、しゃがんで床に膝をついてみる。このとき、パッド４０１の位置が適切であり、パッド４０１で膝を保護することができれば、パッド４０１の位置の調整は行わず、そのままの状態でズボン１を使用する。
【００９６】
一方、ズボン１の着用者がしゃがんで床に膝をついたとき、パッド４０１の位置が上方にずれていると感じたときには、最も上方に存在している左右の膝に対応する部位の縫い目４０５Ｂをほどいて除去し、パッド４０１を下方にずらす。このように、左右の縫い目４０５Ｂを上から順に適宜除去することで、パッド４０１の上下方向における位置の調整をする。
【００９７】
なお、縫い目４０５を一切除去されていない状態でパッド４０１が設置されたズボン１を履いた場合、通常の体型の人は、パッド４０１がやや上方に位置するようになっている。また、上方の縫い目４０５Ｂが総て除去された状態でパッド４０１が設置されたズボン１を履いた場合、通常の体型の人は、パッド４０１がやや下方に位置するようになっている。
【００９８】
ズボン１によれば、パッド４０１の設置がしやすく、パッド４０１の上下方向での位置の調整がしやすく、しかも、設置後のパッド４０１の位置ずれがしにくくなる。
【００９９】
すなわち、ズボン１では、パッド４０１を設置するときに、外付けのポケット状になっているパッド収納部４０３内にパッド４０１を挿入するだけでよいので、パッド４０１の設置がしやすくなっている。また、横方向延伸縫い目４０５を適宜除去してパッド４０１の設置高さを調整するようになっているので、パッド４０１の高さの調整がしやすくなっている。また、一旦パッド４０１の高さを調整すれば、パッド４０１をパッド収納部４０３に入れたままにしておく等、その後は高さを調整する必要がないので、屋根上での作業に着手するまでの時間を短縮することができる。さらに、設置されたパッド４０１は、外付けのポケット状になっているパッド収納部４０３内に収まっているので、作業中におけるパッド４０１の位置ずれが発生しにくくなっている。
【０１００】
また、ズボン１によれば、天蓋４１５を備えているので、一旦設置したパッド４０１がパッド収納部４０３から抜け出してしまうことを確実に防止することができる。
【０１０１】
また、ズボン１によれば、横方向延伸縫い目４０５を設けたことで、上述したように、パッド４０１の上下方向での位置の調整がしやすくなっている。したがって、ズボン１に伸縮素材３を設けてあっても、パッド４０１の上下方向の位置を適切なものにすることが容易になっている。すなわち、伸縮素材３を設けてあることで、ズボン１の着用者の姿勢の変化により、ズボン１の膝に対応する部位（パッド４０１が設置される部位）が上下方向で微妙に動いてしまうことがある。しかし、上下方向でのパッド４０１の位置の調整がしやすいので、パッド４０１の上下方向の位置を適切な位置にすることが容易にでき、ズボン１の着用者の膝を確実に保護することができる。
【０１０２】
また、パッド４０１によれば、パッド本体部４２３が椀状に形成され、ズボン１の着用者の運動性を考慮した立体成形された形になっているので、パッド４０１が設置されたズボン１を着用者が履いたときに、パッド４０１が膝に良好にフィットし、着用者に違和感を与えることなく着用者の膝を保護することができる。
【０１０３】
また、一対の切り欠き部４２５，４２７がパッド４０１の横方向の両端部に設けられているので、パッド４０１が設置されたズボン１を履いた着用者が膝を曲げやすくなっている。すなわち、一対の切り欠き部４２５，４２７がパッド４０１の横方向の両端部に設けられているので、パッド４０１が設置されたズボン１を履いた着用者が膝を曲げたとき、図１１（ｂ）に二点鎖線で示すように、パッド４０１も膝の曲がりに追従して曲がりやすくなっており、着用者が膝を曲げやすくなっている。
【０１０４】
さらに、一対の切り欠き部４２５，４２７がパッド４０１の横方向の両端部に設けられていてパッドの中央部側には設けられていないので、一対の切り欠き部４２５，４２７が、着用者の膝の前面には当接しないようになっている。したがって、パッド４０１が設置されたズボン１の着用者が作業時に膝を屋根等についても、着用者の膝と屋根との間には、切り欠き部４２５，４２７が存在していないパッド４０１の部位が存在することになり、作業者が違和感（切り欠き部４２５，４２７が膝の皮膚へ当接、または切り欠き部４２５，４２７付近の端部同士が重なり合って膝の皮膚を圧迫するうっとうしさ）を感じることなく、作業者（ズボン１の着用者）の膝を確実に保護することができる。
【０１０５】
ところで、直線状の縫い目４０５に代えて、図１２で示すような円弧状（楕円弧状）の縫い目（パッド支持布４０９をズボン本体４０７に縫い付けている縫い目）４３３を設けてもよい。この縫い目４３３は、パッド４０１の下側の円弧（楕円弧）とほぼ同形状（僅かに大きい形状）になっており、半円弧状のほぼ全長がパッド４０１の下側の円弧のほぼ全長と係合し、パッド４０１を支持するようになっている。
【０１０６】
縫い目４３３でパッド４０３を支持することで、ズボン１に設置されたパッド４０１の位置ずれを一層無くすことができる。なお、図１２では、縫い目４３３を１本しか描いていないが、各縫い目４０５と同様にして、縫い目４３３が、上下方向で所定の間隔をあけて複数本設けられているものとする。
【０１０７】
さらに、直線状の縫い目４０５もしくは円弧状の縫い目４３３に代えてもしくは加えて、パッド（ズボン１に設置されたパッド）４０１の一対の切り欠き部４２５，４２７のそれぞれに入り込む一対の縫い目（たとえば直線状の縫い目）４３５を設けてもよい。
【０１０８】
なお、一対の縫い目４３５のうちの一方の縫い目（図１２で示す左側の縫い目）は、パッド支持布４０９の脇の辺部（図１２の左側の辺部）４１１から所定の距離だけ右側に延出している。一対の縫い目４３５のうちの他方の縫い目（図１２で示す右側の縫い目）は、パッド支持布４０９の脇の辺部（図１２の右側の辺部）４１１から所定の距離だけ左側に延出している。
【０１０９】
そして、パッド４０１をズボン１に設置したとき、一対の縫い目４３５のそれぞれが、パッド４０１の一対の切り欠き部４２５，４２７のそれぞれに入り込むようになっている。
【０１１０】
なお、パッド４０１の一方の切り欠き４２５の底部と他方の切り欠き４２７の底部との間の寸法は、一対の縫い目４３５の先端部部間の寸法よりも僅かに小さくなっている。
【０１１１】
縫い目４３５を設けることで、ズボン１に設置されたパッド４０１の位置ずれをさらに一層無くすことができる。なお、図１２では、縫い目４３５を２本しか描いていないが、各縫い目４０５と同様にして、縫い目４３５が上下方向で所定の間隔をあけて複数本（４本、６本・・・）設けられているものとする。
【０１１２】
ところで、上記説明は、ズボン（下衣）１についてのものであるが、ツナギ６１に伸縮素材３を設けてもよい。すなわち、上衣部（上着部）６５とズボン部６３とを備えて構成されているツナギ６１（図１４、図１５等参照）において、ズボン部６３を、ズボン１と同様に構成し、さらに、ズボン１の場合と同様にして、ツナギ本体（図１４、図１６で示すツナギ）にパッド収納部４０３を形成しパッド４０１を設ける等、適宜変更してもよい。図１５は、ツナギ６１の展開図であり、ズボン部６３を構成するものには、図４で示すズボン１のものと同じ符号を付してある。
【０１１３】
ズボン部６３がズボン１と同様に構成されたツナギ６１は、ズボン１と同様にして左右対称に形成されている。
【０１１４】
また、ツナギ６１（上衣部６５）には、帯状の伸縮素材（上衣肩部前側伸縮素材）６７が設けられている。上衣肩部前側伸縮素材６７は、着用者の首付け根斜め前部位６９から腕付け根前部位７１を通って脇下前部位７３にいたる部分で、上衣部６５の一部を構成している。
【０１１５】
首付け根斜め前部位６９は、着用者の首の付け根（首と胴体との境界もしくはこの境界よりも僅かに下方）の部位であって斜め前に位置する部位に対応する部位である。腕付け根前部位７１は、着用者の腕の付け根（腕と胴体との境界）の部位であって前側に位置する部位に対応する部位である。脇下前部位７３は、着用者の脇下の部位であって前側に位置する部位に対応する部位である。
【０１１６】
より詳しく説明すると、ツナギ６１は左右対称に構成されているので、上衣肩部前側伸縮素材６７は、上衣肩部右前側伸縮素材６７Ｒと上衣肩部左前側伸縮素材６７Ｌとで構成されている。そして、上衣肩部右前側伸縮素材６７Ｒは、首付け根斜め右前部位６９Ｒから腕付け根右前部位７１Ｒを通って脇下右前部位７３Ｒまで延びて設けられている。
【０１１７】
首付け根斜め右前部位６９Ｒは、着用者の首の付け根の一部であって着用者の右斜め前に位置する部位に対応する部位である。腕付け根右前部位７１Ｒは、着用者の右腕の付け根の一部であって着用者の前側に位置する部位（上下方向では右腕の付け根のほぼ中央部）に対応する部位である。脇下右前部位７３Ｒは、着用者の右脇下の前側部位に対応する部位である。
【０１１８】
上衣肩部右前側伸縮素材６７Ｒの長手方向は、上衣肩部右前側伸縮素材６７Ｒが延びて設けられている方向（首付け根斜め右前部位６９Ｒから腕付け根右前部位７１Ｒを通って脇下右前部位７３Ｒにいたる方向）である。上衣肩部右前側伸縮素材６７Ｒの幅方向は、上衣肩部右前側伸縮素材６７Ｒの長手方向とほぼ直交する方向である。
【０１１９】
上衣肩部右前側伸縮素材６７Ｒの幅は、たとえば一定ではなく、首付け根斜め右前部位６９Ｒで狭く、腕付け根右前部位７１Ｒに向かうにしたがって次第に広くなり、脇下右前部位７３Ｒに向かうにしたがって次第に狭くなっている。すなわち、上衣肩部右前側伸縮素材６７Ｒの幅の値は、滑らかに変化して、長手方向の両端部で小さく、長手方向の中央部で大きくなっている。
【０１２０】
上衣肩部左前側伸縮素材６７Ｌは、上衣肩部右前側伸縮素材６７Ｒと対称に形成されて対称に設けられている。
【０１２１】
また、ツナギ６１（上衣部６５）には、帯状の伸縮素材（上衣肩部後側伸縮素材）７５が設けられている。上衣肩部後側伸縮素材７５は、着用者の首付け根斜め後部位７７から腕付け根後部位７９を通って脇下後部位８１にいたる部分で、上衣部６５の一部を構成している。
【０１２２】
首付け根斜め後部位７７は、首の付け根（首と胴体との境界もしくはこの境界よりも僅かに下方）の部位であって斜め後に位置する部位に対応する部位である。
【０１２３】
腕付け根後部位７９は、腕の付け根（腕と胴体との境界）の部位であって後側に位置する部位に対応する部位である。
【０１２４】
脇下後部位８１は、脇下の部位であって後側に位置する部位に対応する部位である。
【０１２５】
より詳しく説明すると、ツナギ６１は左右対称なので、上衣肩部前側伸縮素材６７と同様にして、上衣肩部後側伸縮素材７５も、上衣肩部右後側伸縮素材７５Ｒと上衣肩部左後側伸縮素材７５Ｌとで構成されている。そして、上衣肩部右後側伸縮素材７５Ｒは、首付け根斜め右後部位７７Ｒから腕付け根右後部位７９Ｒを通って脇下右後部位８１Ｒまで延びて設けられている。
【０１２６】
首付け根斜め右後部位７７Ｒは、着用者の首の付け根の一部であって着用者の右斜め後に位置する部位に対応する部位である。腕付け根右後部位７９Ｒは、着用者の右腕の付け根の一部であって着用者の後側に位置する部位（上下方向では右腕の付け根のほぼ中央部）に対応する部位である。脇下右後部位８１Ｒは、着用者の右脇下の後側の部位に対応する部位である。
【０１２７】
上衣肩部右後側伸縮素材７５Ｒの長手方向は、上衣肩部右後側伸縮素材７５Ｒが延びて設けられている方向（首付け根斜め右後部位７７Ｒから腕付け根右後部位７９Ｒを通って脇下右後部位８１Ｒにいたる方向）である。上衣肩部右後側伸縮素材７５Ｒの幅方向は、上衣肩部右後側伸縮素材７５Ｒの長手方向とほぼ直交する方向である。
【０１２８】
上衣肩部右後側伸縮素材７５Ｒの幅は、たとえば一定ではなく、上衣肩部右前側伸縮素材６７Ｒと同様にして、長手方向の中央部で広く両端部で狭くなっている。
【０１２９】
上衣肩部左後側伸縮素材７５Ｌは、上衣肩部右後側伸縮素材７５Ｒと対称に形成されて対称に設けられている。
【０１３０】
なお、ツナギ６１では、上衣肩部右前側伸縮素材６７Ｒ（上衣肩部左前側伸縮素材６７Ｌ）と上衣肩部右後側伸縮素材７５Ｒ（上衣肩部左後側伸縮素材７５Ｌ）とは、お互いがつながっていない（着用者の脇の下の部分で離れている）が、上衣肩部右前側伸縮素材６７Ｒ（上衣肩部左前側伸縮素材６７Ｌ）と上衣肩部右後側伸縮素材７５Ｒ（上衣肩部左後側伸縮素材７５Ｌ）とが、お互いがつながっていてもよい（着用者の脇の下の部分でつながっていてもよい）。
【０１３１】
また、上衣肩部前側伸縮素材６７、上衣肩部後側伸縮素材７５のいずれか一方を削除してもよいし、両方を削除してもよい。図１６は、上衣肩部前側伸縮素材６７が削除されたツナギ６１ａを示す図であって、図１４に対応する図である。
【０１３２】
また、ツナギ６１（上衣部６５）には、帯状の伸縮素材（上衣胴部伸縮素材）８３が設けられている。上衣胴部伸縮素材８３は、上側腰部部位８５から横腹部位８７を通り、腹部斜め前部位８９にいたるまでの部分で、上衣部６５の一部を構成している。
【０１３３】
上側腰部部位８５は、着用者の腰部（腰部のうちの上側の部位）に対応する部位である。横腹部位８７は、着用者の横腹部に対応する部位である。腹部斜め前部位８９は、着用者の腹部の斜め前に対応する部位である。
【０１３４】
より詳しく説明すると、ツナギ６１が左右対称に形成されているので、上衣胴部伸縮素材８３は、腹部右斜め前部位８９Ｒから、右横腹部位８７Ｒ、上側腰部部位８５、左横腹部位８７Ｌをこの順に通り、腹部左斜め前部位８９Ｌまで延びて設けられている。
【０１３５】
腹部右斜め前部位８９Ｒは、着用者の臍からほぼ右方向に所定の距離（たとえば１０ｃｍ程度）離れている箇所に対応する部位である。右横腹部位８７Ｒは、着用者の右の横腹（高さ方向では臍とほぼ同じ位置にあって腹と背との境界部に位置している箇所）に対応する右側の部位である。上側腰部部位８５は、着用者の腰部上側での着用者の真後に対応する部位である。
【０１３６】
左横腹部位８７Ｌは、着用者の左の横腹（高さ方向では臍とほぼ同じ位置にあって腹と背との境界部に位置している箇所）に対応する左側の部位である。腹部左斜め前部位８９Ｌは、着用者の臍からほぼ左方向に所定の距離（たとえば１０ｃｍ程度）離れている箇所に対応する部位である。
【０１３７】
上衣胴部伸縮素材８３の長手方向は、上衣胴部伸縮素材８３が延びて設けられている方向（腹部右斜め前部位８９Ｒから、右横腹部位８７Ｒ、上側腰部部位８５、左横腹部位８７Ｌをこの順に通り、腹部左斜め前部位８９Ｌにいたる方向）である。上衣胴部伸縮素材８３の幅方向は、上衣胴部伸縮素材８３の長手方向とほぼ直交する方向である。
【０１３８】
上衣胴部伸縮素材８３の幅は、たとえば一定ではなく、上衣肩部右前側伸縮素材６７Ｒと同様にして、長手方向の中央部で広く両端部で狭くなっている。
【０１３９】
ツナギ６１を着用者が着用したときに着用者とツナギ６１とを平面視すると、上衣胴部伸縮素材８３は、着用者の前側があいている「Ｃ」字状になっている。
【０１４０】
なお、上衣胴部伸縮素材８３とズボン部６３の伸縮素材３（３Ｒ,３Ｌ）とは、ウエストバンド地９１を間にして、お互いが離れているが、上衣胴部伸縮素材８３とズボン部６３の伸縮素材３とがお互いにつながっていてもよい。すなわち、図１４（ｂ）で示す部位（腰の幅よりも狭い所定の幅の部位）９３で、パンツ側伸縮素材３と上衣胴部伸縮素材８３とがお互いにつながっていてもよい。さらには、パンツ側伸縮素材３と上衣胴部伸縮素材８３とを一体の伸縮素材で構成してもよい。
【０１４１】
ツナギ６１について図１５を参照しつつさらに説明する。なお、図１５では、ツナギ６１の右側の部分のみを展開している。また、図１５で示す二重の半円９５が描かれている布地（伸縮素材を含む）は、二重の半円９５が描かれている線分９７に対して対称に形成されている。
【０１４２】
すなわち、ツナギ６１では、ズボン側伸縮素材３、ウエストバンド地９１、上衣胴部伸縮素材８３、背中身頃地９９、襟地１０１が、実際には線分９７に対して対称になっている。
【０１４３】
また、ツナギ６１は、右前身頃１０３（１０３Ｒ）、右上袖地１０５（１０５Ｒ）、右下袖地１０７（１０７Ｒ）とズボン部６３とを構成する布地とを備えて構成されており、図１５で示した各布地と、これらに対称な各布地（左側の各布地）を適宜縫い合わせることによって、ツナギ６１が生成される。
【０１４４】
ところで、図１等で示すズボン１では、左右の伸縮素材３Ｒ,３Ｌが分割されており、左右の伸縮素材３Ｒ,３Ｌをお互いに縫い合わせて、ズボン１を生成しているが、図１等で示すズボン１において、左右の伸縮素材３Ｒ,３Ｌを分割せず、一体で形成してもよい。
【０１４５】
また、図１５で示す上衣胴部伸縮素材８３は、一体で形成されているが、図１５で示す上衣胴部伸縮素材８３を左右に分割し、これらの左右に分割した上衣胴部伸縮素材をお互いに縫い合わせて上衣胴部伸縮素材を形成してもよい。
【０１４６】
ツナギ６１によれば、上衣肩部前側伸縮素材６７や上衣肩部後側伸縮素材７５が設けられているので、ツナギ６１の着用者が腕を動かすときに、上衣肩部前側伸縮素材６７や上衣肩部後側伸縮素材７５が伸縮し、腕を動かしやすくなる。
【０１４７】
また、ツナギ６１によれば、上衣胴部伸縮素材８３が設けられているので、ツナギ６１の着用者が腰を曲げるときに、上衣胴部伸縮素材８３が伸縮し、腰を曲げやすくなる。
【０１４８】
なお、図１４等で示すツナギ６１は、長袖タイプであるが、ツナギを半そでタイプにしたり、肩掛けタイプ（ランニングタイプ）にしてもよい。
【０１４９】
また、ツナギ６１において、ズボン部６３を削除し、上衣部６５のみとし、これを上衣として使用してもよい。
【０１５０】
さらに、各伸縮素材３、６７、７５、８３のうちの少なくともいずれかの伸縮素材が設けられていないツナギに、ズボン１の場合と同様にしてカーゴポケット５９を設けてもよい。
【符号の説明】
【０１５１】
１  ズボン
３  伸縮素材
７  腰部部位
１１  股関節外側部位
１５  膝近傍内側部位
１９  インシーム
６１、６１ａ  ツナギ
４０１  パッド
４０３  パッド収納部
４０５、４０５Ａ、４０５Ｂ  縫い目
４０７  ズボン本体
４０９  パッド支持布
４１３  パッド収納部の開口部
４１５  天蓋
４２３  パッドの本体部
４２５  第１の切り欠き部
４２７  第２の切り欠き部
【図１】
2012092474.tif 000003
【図２】
2012092474.tif 000004
【図３】
2012092474.tif 000005
【図４】
2012092474.tif 000006
【図５】
2012092474.tif 000007
【図６】
2012092474.tif 000008
【図７】
2012092474.tif 000009
【図８】
2012092474.tif 000010
【図９】
2012092474.tif 000011
【図１０】
2012092474.tif 000012
【図１１】
2012092474.tif 000013
【図１２】
2012092474.tif 000014
【図１３】
2012092474.tif 000015
【図１４】
2012092474.tif 000016
【図１５】
2012092474.tif 000017
【図１６】
2012092474.tif 000018